(57)【特許請求の範囲】
【請求項１】
開口を有し、当該開口の両側にそれぞれリップを有するリップ溝形鋼により形成され、間仕切ボードを固定する間仕切スタッドであって、
前記リップの上端及び下端には開口側の縁からフランジの上端又は下端に向かって直線状に所定角度で切り欠いたトリミング部が形成されたことを特徴とする間仕切スタッド。
【請求項２】
前記開口と反対側に形成されたウェブに、蛇行状又はジグザグ状にエンボス加工された補強リブを有することを特徴とする請求項１に記載の間仕切スタッド。
【請求項３】
前記開口を挟んで対向する前記リップの間に１以上のスペーサが架設されることを特徴とする請求項１又は請求項２に記載の間仕切スタッド。
【請求項４】
溝形鋼で形成した上部ランナーと下部ランナーの間に、請求項１から請求項３のいずれかに記載の間仕切スタッドを複数本配設し、当該間仕切りスタッドの側面板に間仕切ボードを固定することを特徴とする間仕切壁構造。
【発明の詳細な説明】
【技術分野】
【０００１】
本発明は、間仕切スタッド及び間仕切壁構造に関し、特にリップ溝形鋼により形成された間仕切スタッド及びこれを用いる間仕切構造に関する。
【背景技術】
【０００２】
従来より、上下に架設された鋼製ランナーの間に所定間隔を開けて間仕切スタッドを立設して軸組構造を形成し、この軸組構造に両側から石膏ボードなどの間仕切ボードを固定して形成する間仕切壁構造が施工されている。この間仕切スタッドとしては、例えば鋼板を角管状に加工した箱形断面の鋼製スタッドが用いられている（例えば特許文献１）。しかし、この箱形断面の鋼製スタッドは、鋼板を折り曲げて角管状に形成した後、その側端部同士を重ね合わせてかしめる等して結合させるものであり、加工コストが大きくなる問題がある。
【０００３】
そこでより箱形断面の鋼製スタッドよりも加工コスト及び原材料費を低減することができ、且つ軽量化を図ることができるＣ形断面のリップ溝形鋼を用いた間仕切スタッドが種々提案されている。このリップ溝形鋼を用いた間仕切スタッドは、一方が開口した溝形に形成されるため、鋼板を折り曲げるだけで形成することができ、開口部が形成される分、箱形断面の鋼製スタッドよりも原材料費を抑制することができるとともに、軽量化を図ることができる（特許文献２、特許文献３）。
【先行技術文献】
【特許文献】
【０００４】
【特許文献１】特開２００８−３０３５５７号公報
【特許文献２】特開２０１０−７１０２１号公報
【特許文献３】特開２０１０−１０１０５２号公報
【発明の概要】
【発明が解決しようとする課題】
【０００５】
しかし、上述のようなリップ溝形鋼を用いた間仕切スタッドは、リップの上端及び下端の角が尖っているため、施工誤差や生活上の振動で間仕切スタッドに傾きが生じた場合や間仕切スタッドにねじれが発生した場合には、リップ上端及び下端の角が、間仕切スタッドを固定している上下の鋼製ランナーにこすれて、高い擦れ音が発生する虞がある。
【０００６】
そこで本発明は、加工コスト及び原材料費を低減することができ、且つ軽量化を図ることができるＣ形断面のリップ溝形鋼を用いた間仕切スタッドであって、施工誤差や生活上の振動で異音が発生することを抑制することができる間仕切スタッド及びこの間仕切スタッドを用いた間仕切壁構造を提供することを目的とする。
【課題を解決するための手段】
【０００７】
請求項１に記載の間仕切スタッドは、開口を有し、当該開口の両側にそれぞれリップを有するリップ溝形鋼により形成され、間仕切ボードを固定する間仕切スタッドであって、前記リップの上端及び下端には開口側の縁からフランジの上端又は下端に向かって直線状に所定角度で切り欠いたトリミング部が形成されたことを特徴としている。
【０００８】
請求項２に記載の間仕切スタッドは、前記開口と反対側に形成されたウェブに、蛇行状又はジグザグ状にエンボス加工された補強リブを有することを特徴としている。
【０００９】
請求項３に記載の間仕切スタッドは、前記開口を挟んで対向する前記リップの間に１以上のスペーサが架設されることを特徴としている。
【００１０】
請求項４に記載の間仕切壁構造は、溝形鋼で形成した上部ランナーと下部ランナーの間に、請求項１から請求項３のいずれかに記載の間仕切スタッドを複数本配設し、当該間仕切スタッドの側面板に間仕切ボードを固定することを特徴としている。
【発明の効果】
【００１１】
請求項１に記載の間仕切スタッドによると、リップ溝形鋼により形成されているため、箱形断面のものに比べて加工コスト及び原材料費を低減することができ、且つ軽量化を図ることができる。そして、リップの上端及び下端の角を開口側の縁からフランジの下端又は上端に向かって直線状に所定角度で切り欠いたトリミング部が形成されているので、施工誤差や生活上の振動で間仕切スタッドに傾きが生じた場合や間仕切スタッドにねじれが発生した場合にも、リップ上端及び下端の角が、間仕切スタッドを固定している上下の部材にこすれることがなく、高い擦れ音が発生することを防止できる。
【００１２】
請求項２に記載の間仕切スタッドによると、ウェブに蛇行状又はジグザグ状にエンボス加工された補強リブを有するので、ウェブの強度不足からくるひずみの発生を抑制することができ、ウェブがひずむ際に発生するベコツキ音を抑制することができる。
【００１３】
請求項３に記載の間仕切スタッドによると、リップの間に１以上のスペーサが架設されるので、間仕切スタッドをランナーに取り付ける際、及び間仕切スタッドに間仕切ボードを固定する際に、間仕切スタッドの側面方向からビスを打ち込んでも、スペーサにより補強されることで、間仕切スタッドの側面が内側に凹むことを抑制することができ、設計どおり適切に施工することができるので、間仕切スタッドがランナーと擦れて異音が発生することを抑制することができる。
【００１４】
請求項４に記載の間仕切壁構造によると、溝形鋼で形成した上部ランナーと下部ランナーの間に、請求項１から請求項３に記載の間仕切スタッドを複数本配設し、当該間仕切スタッドの側面板に間仕切ボードを固定するので、上記の請求項１から請求項３のいずれかの効果を奏することができ、生活上の振動などで異音が発生しにくい間仕切壁構造とすることができる。
【図面の簡単な説明】
【００１５】
【図１】間仕切スタッドの外観構成を示す斜視図。
【図２】間仕切スタッドの構成を示す断面図。
【図３】間仕切スタッドの下端部分の構成を示す一部省略拡大正面図。
【図４】スペーサの構成を示す斜視図。
【図５】上部ランナー及び下部ランナーの間に間仕切スタッドを嵌め込んだ状態を説明する斜視図。
【図６】下部ランナーに間仕切スタッドの下端を固定した状態を説明する一部省略拡大正面図。
【図７】間仕切スタッドに間仕切ボードを固定した状態を説明する一部省略断面図。
【図８】間仕切スタッドに間仕切ボードを固定した状態を説明する一部省略斜視図。
【図９】間仕切スタッドが傾斜した状態の下端部分を示す一部省略拡大正面図。
【発明を実施するための形態】
【００１６】
以下、本発明の間仕切スタッド１及びこの間仕切スタッド１を用いた間仕切壁構造２の最良の実施形態について、各図を参照しつつ説明する。間仕切スタッド１は、図１及び図２に示すように、一枚の長尺な鋼板を折り曲げて形成しており、ウェブ３と、このウェブ３の両側部から、直角に互いに向き合う方向へ折れ曲がって延びる２枚のフランジ４と、この２枚のフランジ４の先端からさらに直角に互いに近接する方向へ折れ曲がって延びるリップ５と、を有し、両方のリップ５の先端縁の間が開口する溝状に形成された断面Ｃ形状のリップ溝形鋼により形成されている。そして、両側のリップ５の間に複数本のスペーサ６が架設されており、スペーサ６の両端部はそれぞれ両側のリップにカシメ固定されている。
【００１７】
この間仕切スタッド１は高さが間仕切壁を設置する建築物の構造に応じて、例えば１２５０ｍｍ以上で３０００ｍｍ以下に形成されており、ウェブ３の幅が１２０ｍｍでフランジ４の幅が４０ｍｍ程度に形成されている。また、リップ５は幅が２０ｍｍ程度に形成されており、リップ５間の開口の幅は８０ｍｍ程度に形成されている。ウェブ３には、図３に良く表わされるように、エンボス加工によって形成された蛇行する連続した一本の補強リブ７が形成されている。この補強リブ７は、深さが０．４５ｍｍであって、底の幅が４ｍｍ、上縁の幅が６ｍｍ程度の断面台形状に窪んで形成されており、ウェブ３の長手方向の全域にわたって形成されている。なお、間仕切スタッド１の寸法及び補強リブ７の寸法は、上述のものに限定されるものではなく、必要な強度や設置する間仕切壁の位置等に応じて、適切な寸法の間仕切スタッド１を用いることができる。また、ウェブ３に形成される補強リブ７は、上述の構成のものに限定されるものではなく、例えば、鋭く折れ曲がったジグザグ状にエンボス加工されたものであってもよい。
【００１８】
また、リップ５は、その長手方向に２５０ｍｍ間隔で直径１０ｍｍ程の貫通孔８が形成されている。このようにリップ５に貫通孔８が形成されることにより、ウェブ３に間仕切スタッド１の外側から建築物を構成する部材を固定する場合に、リップ５の貫通孔８から図示しないがビス等の固定具及びドライバ等の工具を挿入することによりウェブ３の内側からビス打ちをすることができ適切な位置に適宜部材を固定することができる。
【００１９】
また、リップ５の上端及び下端は、図１及び図３に示すように、開口側の縁から下端又は上端に向かって水平に対して１５度の角度で切りかかれてトリミング部９を形成している。このように構成することで間仕切スタッド１が施工誤差や生活上の振動で間仕切スタッド１に傾きが生じ、間仕切スタッド１にねじれが発生した場合であっても、リップ５上端及び下端の角が、図９に示すように、間仕切スタッド１を固定している上部ランナー１１及び下部ランナー１２に当接することがなく、不快な擦れ音が発生することを抑制することができる。
【００２０】
また、スペーサ６は、図４に示すように、長さが１１４ｍｍで、高さ１５ｍｍ、奥行き１５ｍｍの断面Ｌ字状の鋼材である。スペーサ６は断面Ｌ字状に形成されることにより、単に板状に形成される場合に比べて高い強度を有する。このスペーサ６には、長手側の２辺に間を８０ｍｍ開けた切込み１０がそれぞれ２箇所形成されている。スペーサ６はその両端がリップ５に内側から当接し、カシメ固定されている。スペーサ６に形成された切込み１０は、スペーサ６がリップ５に固定されるときに、それぞれのリップ５の端縁に整合して、スペーサ６を適切な位置に固定することができる。このスペーサ６は、間仕切スタッド１の上端及び下端からそれぞれ２０ｍｍの位置に少なくとも固定されており、補強する必要に応じて、間仕切スタッド１の上下方向の中間部にも形成されている。なお、スペーサ６の寸法は、上記のものに限定されるものではなく、必要な強度及び間仕切スタッド１の大きさにより適切なものを選択することができる。
【００２１】
以上のように形成される間仕切スタッド１を用いて間仕切壁構造２を形成する際には、図示しないが建築物の躯体を構成する基礎、梁、又は野縁に固定されているほぼ水平に敷設された上部ランナー１１及び下部ランナー１２の間に間仕切スタッド１をはめ込む。図５に示すように、上部ランナー１１及び下部ランナー１２はそれぞれ溝形鋼により形成されており、開口が互いに向き合うように平行に敷設されている。そして、図６に示すように、上部ランナー１１及び下部ランナー１２の外側から間仕切スタッド１のフランジ４にまで貫通するようにスタッド固定用ビス１３を打ち込んで、間仕切スタッド１を上部ランナー１１及び下部ランナー１２に固定する。間仕切スタッド１の上端及び下端からそれぞれ２０ｍｍの位置には、スペーサ６がリップ５に架設されて固定されているので、このスペーサ６に補強されることにより、ビス打ちの際に間仕切スタッド１のフランジ４が内側に凹むことを抑制できる。
【００２２】
間仕切スタッド１を上部ランナー１１及び下部ランナー１２に固定すると、次に図７及び図８に示すように、石膏ボードで形成された間仕切ボード１５を間仕切スタッド１の両側から挟むように配置し、その外側からボード固定用ビス１４を打って、間仕切ボード１５を間仕切スタッド１のフランジ４に固定して、間仕切壁構造２を完成させる。なお、この場合にも、間仕切スタッド１の適切な高さにスペーサ６が固定されていることで、このスペーサ６に補強されることにより、ビス打ちの際に間仕切スタッド１のフランジ４が内側に凹むことを抑制できる。
【００２３】
このように形成された間仕切壁構造２には、生活上の振動、風、又は地震などの様々な要因で水平方向からの力が加わり、居住に支障がない程度の傾きが発生することがある。本実施形態の間仕切スタッド１は、このような場合であっても、ウェブ３に補強リブ７を有しているので、ウェブ３に発生するひずみを少なくすることができ、ウェブ３自身が変形してベコツキ音を発生することや図９に示すように、間仕切スタッド１が上部ランナー１１及び下部ランナー１２と擦れて、不快音が発生することを減らすことができる。また、リップ５の上端及び下端の角を切り欠いてトリミング部９を形成しているので、間仕切スタッド１が傾いた場合及び間仕切スタッド１が変形した場合にもリップ５上端及び下端の角が上部ランナー１１及び下部ランナー１２にこすれることがなく、高音で不快な擦れ音が発生することを防止できる。
【００２４】
なお、本発明の実施の形態は上述の形態に限ることなく、本発明の思想の範囲を逸脱しない範囲で適宜変更することができることは云うまでもない。
【産業上の利用可能性】
【００２５】
本発明に係る間仕切スタッド１及び間仕切壁構造２は、主に居住用の建築物の間仕切壁を構成するものとして好適に用いることができる。
【符号の説明】
【００２６】
１      間仕切スタッド
２      間仕切壁構造
３      ウェブ
４      フランジ
５      リップ
６      スペーサ
７      補強リブ
８      貫通孔
９      トリミング部
１０    切込み
１１    上部ランナー
１２    下部ランナー
１３    スタッド固定用ビス
１４    ボード固定用ビス
１５    間仕切ボード
【図１】
0005578354.tif 000002
【図２】
0005578354.tif 000003
【図３】
0005578354.tif 000004
【図４】
0005578354.tif 000005
【図５】
0005578354.tif 000006
【図６】
0005578354.tif 000007
【図７】
0005578354.tif 000008
【図８】
0005578354.tif 000009
【図９】
0005578354.tif 000010